(57)【要約】【課題】  ＴＶ受信機能付き携帯電話装置によるＴＶ放送の視聴中に別の電話装置からの着呼があった場合でも、一時的にその通話応答を保留状態にして、ＴＶ番組録画サービスセンターに録画依頼が行える。【解決手段】  ＴＶ放送受信機能付き携帯電話装置３０でＴＶ放送の視聴中に別の電話装置５０からの着呼があった場合、一時的にその通話応答を保留状態にして、ＴＶ番組録画サービスセンター４０に録画依頼を行うとともに、別の電話装置５０に対する通話応答の保留状態を自動的に解除して、通話を行う。【選択図】  図１
2005057475.tif 000002
【特許請求の範囲】
【請求項１】
ＴＶ放送受信機能付き携帯電話装置であって、
ＴＶ放送の視聴中、別の電話装置からの着呼が検出された場合には、当該別の電話装置との回線接続を保留状態にして、予め設定された電話番号のＴＶ番組録画サービスセンターに対して回線接続し、当該視聴しているＴＶ番組の録画依頼を送信する録画依頼手段
を備えていることを特徴とするＴＶ放送受信機能付き携帯電話装置。
【請求項２】
ＴＶ放送受信機能付き携帯電話装置であって、
別の電話装置との通話中、視聴を予定しているＴＶ番組の視聴時刻になった場合には、当該別の電話装置との回線接続を保留状態にして、予め設定された電話番号のＴＶ番組録画サービスセンターに対して回線接続し、当該視聴を予定しているＴＶ番組の録画依頼を送信する録画依頼手段
を備えていることを特徴とするＴＶ放送受信機能付き携帯電話装置。
【請求項３】
前記録画依頼手段は、録画依頼の送信後、ＴＶ番組録画サービスセンターからの依頼受付完了通知を受信した場合は、前記回線接続が保留状態になっている別の電話装置との回線接続を接続状態にする
ことを特徴とする請求項１又は２記載のＴＶ放送受信機能付き携帯電話装置。
【請求項４】
前記録画依頼手段は、
別の電話装置との回線を保留状態にするステップと、ＴＶ番組録画サービスセンターに当該視聴している又は視聴を予定しているＴＶ番組の録画依頼を行うステップと、別の電話装置との回線を保留状態から接続状態にするステップとを一連の動作として実行する中断依頼スイッチ
を備えていることを特徴とする請求項３記載のＴＶ放送受信機能付き携帯電話装置。
【請求項５】
前記録画依頼手段は、
別の電話装置との回線を保留状態にするステップと、ＴＶ番組録画サービスセンターに当該視聴している又は視聴を予定しているＴＶ番組の録画依頼を行うステップとを一連の動作として実行する依頼スイッチと、
別の電話装置との回線を保留状態から接続状態にするステップを実行する復帰スイッチと
を備えていることを特徴とする請求項３記載のＴＶ放送受信機能付き携帯電話装置。
【請求項６】
ＴＶ放送受信機能付き携帯電話装置であって、
ＴＶ放送の視聴開始時に、予め設定された電話番号のＴＶ番組録画サービスセンターに対して回線接続し、当該視聴開始したＴＶ番組の録画依頼を送信する録画依頼手段
を備えていることを特徴とするＴＶ放送受信機能付き携帯電話装置。
【請求項７】
ＴＶ放送受信機能付き携帯電話装置であって、
ＴＶ放送の視聴中、ＴＶ電波が弱くなって視聴が困難になった場合には、予め設定された電話番号のＴＶ番組録画サービスセンターに対して回線接続し、当該視聴しているＴＶ番組の録画依頼を送信する録画依頼手段
を備えていることを特徴とするＴＶ放送受信機能付き携帯電話装置。
【請求項８】
ＴＶ放送受信機能付き携帯電話装置であって、
ＴＶ放送の視聴中、移動により送信基地局が変わり視聴が困難になった場合には、予め設定された電話番号のＴＶ番組録画サービスセンターに対して回線接続し、当該視聴しているＴＶ番組の録画依頼を送信する録画依頼手段
を備えていることを特徴とするＴＶ放送受信機能付き携帯電話装置。
【請求項９】
ＴＶ放送受信機能付き携帯電話装置であって、
テレビ受信機部バッテリと、
携帯電話部バッテリと
を備え、
テレビ受信機部と携帯電話部とを前記対応する系統のバッテリで駆動する
ことを特徴とするＴＶ放送受信機能付き携帯電話装置。
【請求項１０】
ＴＶ放送受信機能付き携帯電話装置であって、
テレビ受信機部を駆動するテレビ受信機部バッテリと、
携帯電話部を駆動する携帯電話部バッテリと、
該テレビ受信機部バッテリの出力が所定レベルまで低下したのを検出するバッテリ電圧検出手段と、
ＴＶ放送の視聴中、該バッテリ電圧検出手段の出力低下検出に基づいて、予め設定された電話番号のＴＶ番組録画サービスセンターに対して回線接続し、当該視聴しているＴＶ番組の録画依頼を送信する録画依頼手段と
を備えていることを特徴とするＴＶ放送受信機能付き携帯電話装置。
【請求項１１】
前記テレビ受信機部バッテリは、前記携帯電話部バッテリで使用される容量よりも多い
ことを特徴とする請求項９又は１０記載のＴＶ放送受信機能付き携帯電話装置。
【請求項１２】
前記テレビ受信機部バッテリは、前記携帯電話部バッテリが無くなった際に前記携帯電話部バッテリとして利用可能であり、前記携帯電話部バッテリは、前記テレビ受信機部バッテリが無くなった際に前記携帯電話部バッテリとして利用不可能である
ことを特徴とする請求項９から１１いずれかに記載のＴＶ放送受信機能付き携帯電話装置。
【請求項１３】
ＴＶ放送受信機能付き携帯電話装置であって、
テレビ受信機部及び携帯電話部を駆動するテレビ・携帯電話共用バッテリと、
該テレビ・携帯電話共用バッテリの出力が所定レベルまで低下したのを検出するバッテリ電圧検出手段と、
ＴＶ放送の視聴中、該バッテリ電圧検出手段の出力低下検出に基づいて、予め設定された電話番号のＴＶ番組録画サービスセンターに対して回線接続し、当該視聴しているＴＶ番組の録画依頼を送信する録画依頼手段と
を備え、
該バッテリ電圧検出手段には、テレビが使用できるバッテリ電圧の下限閾値と携帯電話が使用できるバッテリ電圧の下限閾値との２つの閾値が所定レベルとして設けられ、
前記録画依頼手段は、該バッテリ電圧検出手段によるテレビが使用できるバッテリ電圧の下限閾値の検出により作動する
ことを特徴とするＴＶ放送受信機能付き携帯電話装置。
【請求項１４】
前記テレビが使用できるバッテリ電圧の下限閾値は、携帯電話が使用できるバッテリ電圧の下限閾値と同じ、又は高い電圧に設定されている
ことを特徴とする請求項１３記載のＴＶ放送受信機能付き携帯電話装置。
【請求項１５】
前記テレビ・携帯電話共用バッテリの出力が、テレビが使用できるバッテリ電圧の下限閾値よりも低下しているときは、テレビの視聴を停止させるテレビ視聴停止手段
を備えていることを特徴とする請求項１３又は１４記載のＴＶ放送受信機能付き携帯電話装置。
【請求項１６】
前記録画依頼手段は、自身の電子メールアドレスを付してＴＶ番組録画サービスセンターに当該視聴しているＴＶ番組の録画依頼を送信する
ことを特徴とする請求項１〜８、１０〜１５いずれかに記載のＴＶ放送受信機能付き携帯電話装置。
【請求項１７】
ＴＶ番組録画サービスセンターから当該録画依頼したＴＶ番組の録画が終了したことを通知する電子メールを受信した場合に、当該電子メールの受信を報知する報知手段
を備えていることを特徴とする請求項１６記載のＴＶ放送受信機能付き携帯電話装置。
【請求項１８】
前記録画依頼手段から送信される録画依頼に基づき前記ＴＶ番組録画サービスセンターにより録画されるＴＶ番組の転送先としての録画番組再生装置を、前記ＴＶ番組録画サービスセンターに対して指定する番組転送先指定手段
を備えていることを特徴とする請求項１〜８、１０〜１５いずれかに記載のＴＶ放送受信機能付き携帯電話装置。
【請求項１９】
転送先候補として複数の録画番組再生装置が登録されている番組転送先登録手段を備え、
前記番組転送先指定手段は、該番組転送先登録手段に登録されている複数の録画番組再生装置の中からユーザによって選択された録画番組再生装置を、前記ＴＶ番組録画サービスセンターに対して録画したＴＶ番組の転送先として指定する
ことを特徴とする請求項１８記載のＴＶ放送受信機能付き携帯電話装置。
【請求項２０】
転送先候補として複数の録画番組再生装置と当該複数の録画番組再生装置それぞれの再生方式とが登録されている番組転送先登録手段を備え、
前記番組転送先指定手段は、該番組転送先登録手段に登録されている複数の録画番組再生装置の中から前記ＴＶ番組録画サービスセンターによって録画されるＴＶ番組の再生に適した録画番組再生装置を選択し、前記ＴＶ番組録画サービスセンターに対して録画された番組の転送先として指定する
ことを特徴とする請求項１８記載のＴＶ放送受信機能付き携帯電話装置。
【請求項２１】
前記番組転送先指定手段は、前記ＴＶ番組録画サービスセンターに対する転送先の指定を、転送先の前記録画番組再生装置に付与されているアドレスによって指定する
ことを特徴とする請求項１８〜２０いずれかに記載のＴＶ放送受信機能付き携帯電話装置。
【請求項２２】
前記番組転送先指定手段による前記ＴＶ番組録画サービスセンターに対する転送先の指定は、前記ＴＶ番組録画サービスセンターに当該録画依頼とともに送信される
ことを特徴とする請求項１８〜２１いずれかに記載のＴＶ放送受信機能付き携帯電話装置。
【請求項２３】
前記番組転送先指定手段による前記ＴＶ番組録画サービスセンターに対する転送先の指定は、前記ＴＶ番組録画サービスセンターに当該録画依頼とは別に送信される
ことを特徴とする請求項１８〜２１いずれかに記載のＴＶ放送受信機能付き携帯電話装置。
【請求項２４】
ＴＶ放送受信機能付き携帯電話装置と回線接続が可能なＴＶ番組録画サービスセンターであって、
回線接続された前記ＴＶ放送受信機能付き携帯電話装置から送信される録画依頼の受付処理を行い、当該受付処理完了後に、当該ＴＶ放送受信機能付き携帯電話装置との回線接続を遮断する録画依頼管理手段と、
該録画依頼管理手段によって受付処理された録画依頼に基づくＴＶ番組の録画を行う録画手段と
を備えていることを特徴とする番組録画サービスセンター。
【請求項２５】
ＴＶ放送受信機能付き携帯電話装置と回線接続が可能なＴＶ番組録画サービスセンターであって、
回線接続された前記ＴＶ放送受信機能付き携帯電話装置から送信される録画依頼の受付処理を行い、当該受付処理完了後に、当該ＴＶ放送受信機能付き携帯電話装置との回線接続を遮断する録画依頼管理手段と、
該録画依頼管理手段によって受付処理された録画依頼に基づくＴＶ番組の録画を行う録画手段と、
該録画手段による録画終了後、前記ＴＶ放送受信機能付き携帯電話装置により指定された録画番組再生装置に録画番組を送信する録画番組送信手段と
を備えていることを特徴とする番組録画サービスセンター。
【請求項２６】
前記録画番組送信手段は、前記ＴＶ放送受信機能付き携帯電話装置により指定された録画番組再生装置に適合した型で録画番組を送信する
ことを特徴とする請求項２５記載の番組録画サービスセンター。
【請求項２７】
前記録画依頼管理手段が、前記ＴＶ放送受信機能付き携帯電話装置から送信される録画依頼を受け付ける際に、転送先の録画番組再生装置に適合した録画番組の型を取得する録画番組型取得手段
を備えていることを特徴とする請求項２５又は２６記載の番組録画サービスセンター。
【請求項２８】
前記録画番組送信手段が、前記ＴＶ放送受信機能付き携帯電話装置により指定された録画番組再生装置に録画番組を送信する際に、当該指定された録画番組再生装置から、適合する録画番組の型を取得する録画番組型取得手段
を備えていることを特徴とする請求項２５又は２６記載の番組録画サービスセンター。
【請求項２９】
録画依頼を送信する前記ＴＶ放送受信機能付き携帯電話装置のメールアドレスを管理する通知アドレス管理手段と、
前記録画手段によって該録画依頼管理手段が受付処理した録画依頼に基づくＴＶ番組の録画終了後に、該通知アドレス管理手段に管理されている当該録画依頼を送信した前記ＴＶ放送受信機能付き携帯電話装置のメールアドレスに対し、録画が終了したことを通知する電子メールを送信する録画終了通知送信手段と
を備えていることを特徴とする請求項２４から２８いずれかに記載の番組録画サービスセンター。
【請求項３０】
前記録画番組送信手段は、録画番組に広告を付加して送信する
ことを特徴とする請求項２５から２９いずれかに記載の番組録画サービスセンター。
【請求項３１】
ＴＶ放送受信機能付き携帯電話装置と、該ＴＶ放送受信機能付き携帯電話装置と通信回線を介して接続される番組録画サービスセンターとから構成されるＴＶ番組録画サービスシステムであって、
前記ＴＶ放送受信機能付き携帯電話装置は、
ＴＶ放送の視聴中、該着呼検出手段によって別の電話装置からの着呼が検出された場合、又は別の電話装置との通話中、視聴を予定しているＴＶ番組の視聴時刻になった場合には、当該別の電話装置との回線接続を保留状態にして、予め設定された電話番号のＴＶ番組録画サービスセンターに対して回線接続し、当該視聴しているＴＶ番組の録画依頼を送信する録画依頼手段
を備え、
前記番組録画サービスセンターは、
回線接続された前記ＴＶ放送受信機能付き携帯電話装置から送信される録画依頼の受付処理を行い、当該受付処理完了後に、当該ＴＶ放送受信機能付き携帯電話装置との回線接続を遮断する録画依頼管理手段
を備えていることを特徴とするＴＶ番組録画サービスシステム。
【発明の詳細な説明】
【技術分野】
【０００１】
本発明は、通信機能に加えて、ＴＶ放送受信機能を備えた携帯電話装置に関係し、現在視聴中のＴＶ番組が他の電話装置からの着信に起因して視聴できなくなる場合であっても、このＴＶ番組を録画代行センターに録画させておき、後に録画代行センターから配信を受けることにより視聴可能にするＴＶ受信機能付き携帯電話装置、ＴＶ番組録画サービスセンター、及びＴＶ番組録画サービスシステムに関する。
【背景技術】
【０００２】
近年、携帯電話装置は、装置自体の保有する機能の進歩が著しく、通信機能に加えて、地上波デジタルテレビジョン放送等も受信／視聴可能になりつつある（以下、テレビジョンをＴＶと略称する）。
その一方で、従来技術として、特開２００１−３４６１３７号公報に記載されている録画代行システムが知られている。
【０００３】
この録画代行システムは、視聴者の録画記録装置すなわち受信局側で、記録メディア切れや記録装置の故障等により録画予約しておいた番組の録画を自ら行うことができない場合に、放送波の受信機能と、受信データの保存すなわち録画機能とを備えた録画センター局が、受信局からの要求に応答して、指定された放送番組の番組録画の代行と、録画コンテンツの提供サービスを行うものである。この録画代行システムでは、受信局は、録画予約しておいた番組の録画を自ら行うことができない場合に、録画センター局に対し、録画代行要求を自動的に発行する構成になっている。
【特許文献１】特開２００１−３４６１３７号公報
【発明の開示】
【発明が解決しようとする課題】
【０００４】
しかしながら、ＴＶ受信機能付き携帯電話装置の場合は、ＴＶ番組の視聴中に他の電話装置からの着信が生じたときには、通話を行うためにＴＶ番組の視聴を中断せざるを得ない。すなわち、番組音声と通話音声とが重合してしまうことになり、番組映像が表示される表示部の画面確認自体も困難になる。
【０００５】
また、ＴＶ受信機能付き携帯電話装置は、移動体通信端末であることから、電波障害や、バッテリの容量不足が発生したときには、ＴＶ受信機能だけではなく、その通信機能にも支障を来たす場合がある。
【０００６】
そのため、ＴＶ受信機能付き携帯電話装置にあっては、このようにＴＶ番組の視聴が困難になった場合に、録画センター局に対して録画代行要求を発行しようとしても、自身の回線が着信によって塞がれてしまうため、録画代行要求を録画センター局に送信することができない。
【０００７】
加えて、ＴＶ受信機能付き携帯電話装置は、携帯性の向上のために自身の記憶装置の容量が限られているため、録画センター局から録画させておいたＴＶ番組の提供を受ける場合も、録画記録装置と異なり、そのＴＶ番組を一括して自身の記憶装置に保存しておくことができない。
【０００８】
本発明は、上記問題点に鑑みなされたものであって、ＴＶ受信機能付き携帯電話装置によるＴＶ放送の視聴中に別の電話装置からの着呼があった場合、又は別の電話装置との通話中、視聴を予定しているＴＶ番組の視聴時刻になった場合でも、一時的にその通話応答を保留状態にして、ＴＶ番組録画サービスセンターに録画依頼が行えるＴＶ受信機能付き携帯電話装置、ＴＶ番組録画サービスセンター、及びＴＶ番組録画サービスシステムを提供することを目的とする。
【０００９】
また、本発明は、上記問題点に鑑みなされたものであって、ＴＶ放送の視聴中、ＴＶ電波が弱くなって視聴が困難になったり、移動により送信基地局が変わって視聴が困難になったりした場合や、ＴＶ放送の視聴中、テレビ受信機部を駆動するバッテリの出力が低下した場合も、視聴中のＴＶ番組を見逃すことを防止できるＴＶ受信機能付き携帯電話装置、ＴＶ番組録画サービスセンター、及びＴＶ番組録画サービスシステムを提供することを目的とする。
【課題を解決するための手段】
【００１０】
上記目的を達成するために、本発明のＴＶ受信機能付き携帯電話装置は、ＴＶ放送受信機能付き携帯電話装置であって、ＴＶ放送の視聴中、別の電話装置からの着呼が検出された場合には、当該別の電話装置との回線接続を保留状態にして、予め設定された電話番号のＴＶ番組録画サービスセンターに対して回線接続し、当該視聴しているＴＶ番組の録画依頼を送信する録画依頼手段を備えていることを特徴とする。
【００１１】
また、本発明のＴＶ受信機能付き携帯電話装置は、ＴＶ放送受信機能付き携帯電話装置であって、別の電話装置との通話中、視聴を予定しているＴＶ番組の視聴時刻になった場合には、当該別の電話装置との回線接続を保留状態にして、予め設定された電話番号のＴＶ番組録画サービスセンターに対して回線接続し、当該視聴を予定しているＴＶ番組の録画依頼を送信する録画依頼手段を備えていることを特徴とする。
【００１２】
そして、上記した本発明のＴＶ受信機能付き携帯電話装置では、前記録画依頼手段は、録画依頼の送信後、ＴＶ番組録画サービスセンターからの依頼受付完了通知を受信した場合は、前記回線接続が保留状態になっている別の電話装置との回線接続を接続状態にすることを特徴とする。
【００１３】
また、本発明のＴＶ受信機能付き携帯電話装置は、ＴＶ放送受信機能付き携帯電話装置であって、ＴＶ放送の視聴開始時に、予め設定された電話番号のＴＶ番組録画サービスセンターに対して回線接続し、当該視聴開始したＴＶ番組の録画依頼を送信する録画依頼手段を備えていることを特徴とする。
【００１４】
また、本発明のＴＶ受信機能付き携帯電話装置は、ＴＶ放送受信機能付き携帯電話装置であって、ＴＶ放送の視聴中、ＴＶ電波が弱くなって視聴が困難になった場合には、予め設定された電話番号のＴＶ番組録画サービスセンターに対して回線接続し、当該視聴しているＴＶ番組の録画依頼を送信する録画依頼手段を備えていることを特徴とする。
【００１５】
また、本発明のＴＶ受信機能付き携帯電話装置は、ＴＶ放送受信機能付き携帯電話装置であって、ＴＶ放送の視聴中、移動により送信基地局が変わり視聴が困難になった場合には、予め設定された電話番号のＴＶ番組録画サービスセンターに対して回線接続し、当該視聴しているＴＶ番組の録画依頼を送信する録画依頼手段を備えていることを特徴とする。
【００１６】
また、本発明のＴＶ受信機能付き携帯電話装置は、ＴＶ放送受信機能付き携帯電話装置であって、テレビ受信機部バッテリと、携帯電話部バッテリとを備え、テレビ受信機部と携帯電話部とを前記対応する系統のバッテリで駆動することを特徴とする。
【００１７】
また、本発明のＴＶ受信機能付き携帯電話装置は、ＴＶ放送受信機能付き携帯電話装置であって、テレビ受信機部を駆動するテレビ受信機部バッテリと、携帯電話部を駆動する携帯電話部バッテリと、該テレビ受信機部バッテリの出力が所定レベルまで低下したのを検出するバッテリ電圧検出手段と、ＴＶ放送の視聴中、該バッテリ電圧検出手段の出力低下検出に基づいて、予め設定された電話番号のＴＶ番組録画サービスセンターに対して回線接続し、当該視聴しているＴＶ番組の録画依頼を送信する録画依頼手段とを備えていることを特徴とする。
【００１８】
また、本発明のＴＶ受信機能付き携帯電話装置は、ＴＶ放送受信機能付き携帯電話装置であって、テレビ受信機部及び携帯電話部を駆動するテレビ・携帯電話共用バッテリと、該テレビ・携帯電話共用バッテリの出力が所定レベルまで低下したのを検出するバッテリ電圧検出手段と、ＴＶ放送の視聴中、該バッテリ電圧検出手段の出力低下検出に基づいて、予め設定された電話番号のＴＶ番組録画サービスセンターに対して回線接続し、当該視聴しているＴＶ番組の録画依頼を送信する録画依頼手段とを備え、該バッテリ電圧検出手段には、テレビが使用できるバッテリ電圧の下限閾値と携帯電話が使用できるバッテリ電圧の下限閾値との２つの閾値が所定レベルとして設けられ、前記録画依頼手段は、該バッテリ電圧検出手段によるテレビが使用できるバッテリ電圧の下限閾値の検出により作動することを特徴とする。
【００１９】
そして、上記した本発明のＴＶ受信機能付き携帯電話装置では、前記録画依頼手段から送信される録画依頼に基づき前記ＴＶ番組録画サービスセンターにより録画されるＴＶ番組の転送先としての録画番組再生装置を、前記ＴＶ番組録画サービスセンターに対して指定する番組転送先指定手段をさらに備えていることを特徴とする。
【００２０】
また、本発明のＴＶ番組録画サービスセンターは、ＴＶ放送受信機能付き携帯電話装置と回線接続が可能なＴＶ番組録画サービスセンターであって、回線接続された前記ＴＶ放送受信機能付き携帯電話装置から送信される録画依頼の受付処理を行い、当該受付処理完了後に、当該ＴＶ放送受信機能付き携帯電話装置との回線接続を遮断する録画依頼管理手段と、該録画依頼管理手段によって受付処理された録画依頼に基づくＴＶ番組の録画を行う録画手段とを備えていることを特徴とする。
【００２１】
また、本発明のＴＶ番組録画サービスセンターは、ＴＶ放送受信機能付き携帯電話装置と回線接続が可能なＴＶ番組録画サービスセンターであって、回線接続された前記ＴＶ放送受信機能付き携帯電話装置から送信される録画依頼の受付処理を行い、当該受付処理完了後に、当該ＴＶ放送受信機能付き携帯電話装置との回線接続を遮断する録画依頼管理手段と、該録画依頼管理手段によって受付処理された録画依頼に基づくＴＶ番組の録画を行う録画手段と、該録画手段による録画終了後、前記ＴＶ放送受信機能付き携帯電話装置により指定された録画番組再生装置に録画番組を送信する録画番組送信手段とを備えていることを特徴とする。
【００２２】
そして、上記した本発明のＴＶ受信機能付き携帯電話装置では、前記録画番組送信手段は、前記ＴＶ放送受信機能付き携帯電話装置により指定された録画番組再生装置に適合した型の録画番組を送信することを特徴とする。
【００２３】
また、上記した本発明のＴＶ受信機能付き携帯電話装置では、前記録画番組送信手段は、録画番組に広告を付加して送信することを特徴とする。
また、本発明のＴＶ番組録画サービスシステムは、ＴＶ放送受信機能付き携帯電話装置と、該ＴＶ放送受信機能付き携帯電話装置と通信回線を介して接続される番組録画サービスセンターとから構成されるＴＶ番組録画サービスシステムであって、前記ＴＶ放送受信機能付き携帯電話装置は、ＴＶ放送の視聴中、該着呼検出手段によって別の電話装置からの着呼が検出された場合、又は別の電話装置との通話中、視聴を予定しているＴＶ番組の視聴時刻になった場合には、当該別の電話装置との回線接続を保留状態にして、予め設定された電話番号のＴＶ番組録画サービスセンターに対して回線接続し、当該視聴しているＴＶ番組の録画依頼を送信する録画依頼手段とを備え、前記番組録画サービスセンターは、回線接続された前記ＴＶ放送受信機能付き携帯電話装置から送信される録画依頼の受付処理を行い、当該受付処理完了後に、当該ＴＶ放送受信機能付き携帯電話装置との回線接続を遮断する録画依頼管理手段を備えていることを特徴とする。
【００２４】
これら本発明によれば、ＴＶ放送受信機能付き携帯電話装置でＴＶ放送の視聴中に別の電話装置からの着呼があった場合、又は別の電話装置との通話中、視聴を予定しているＴＶ番組の視聴時刻になった場合、一時的にその通話応答を保留状態にして、ＴＶ番組録画サービスセンターに録画依頼を行うとともに、別の電話装置に対する通話応答の保留状態を自動的に解除して、通話の続きを行うことができる。
【００２５】
また、これら本発明によれば、ＴＶ放送の視聴中、ＴＶ電波が弱くなって視聴が困難になったり、移動により送信基地局が変わって視聴が困難になったりした場合や、ＴＶ放送の視聴中、テレビ受信機部を駆動するバッテリの出力が低下した場合も、ＴＶ番組録画サービスセンターに録画依頼を自動的に送信して視聴中のＴＶ番組を録画しておくことができるので、これら不慮の事態により視聴中のＴＶ番組を見逃すことを防止できるとともに、携帯電話部による通話に与える支障も最小限に留めることができる。
【発明の効果】
【００２６】
以上のように、本発明によれば、ＴＶ受信機能付き携帯電話装置において、ＴＶ番組を視聴中に、別の電話装置からの着信があった場合、又は別の電話装置との通話中、視聴を予定しているＴＶ番組の視聴時刻になった場合でも、ＴＶ番組録画サービスセンターに、別の電話装置との通話で視聴が中断されるＴＶ番組の録画依頼を行うことができる。
【００２７】
そして、その操作も、別の電話装置との通話を行うための操作も兼ねた操作部の簡単な操作で、ＴＶ番組録画サービスセンターに録画依頼を自動的に行うことができ、その録画依頼の完了後、引き続いて別の電話装置との通話が行えるので、操作の煩雑さを生じさせない。
【００２８】
また、本発明によれば、ＴＶ放送の視聴中、ＴＶ電波が弱くなって視聴が困難になったり、移動により送信基地局が変わって視聴が困難になったりした場合や、ＴＶ放送の視聴中、テレビ受信機部を駆動するバッテリの出力が低下した場合も、ＴＶ番組録画サービスセンターに録画依頼を自動的に送信して視聴中のＴＶ番組を録画しておくことができるので、これら不慮の事態により視聴中のＴＶ番組を見逃すことを防止できるとともに、携帯電話部による通話に与える支障も最小限に留めることもできる。
【発明を実施するための最良の形態】
【００２９】
以下、添付図面を参照しながら本発明の好適な実施の形態について詳細に説明する。
図１は、本発明の一実施の形態によるＴＶ番組録画サービスシステムの構成図である。
本実施の形態のＴＶ番組録画サービスシステム１は、図１に示すように、ＴＶ放送波を送出する放送局１０と、携帯電話装置による電話通話やデータ通信等の制御を行う基地局を備えた無線公衆回線２０と、ＴＶ放送受信機能及び無線公衆回線２０を介しての通信機能を備えたＴＶ放送受信機能付き携帯電話装置３０と、無線公衆回線２０を介してＴＶ放送受信機能付き携帯電話装置３０と通信可能なＴＶ番組録画サービスセンター４０とを備えている。
【００３０】
その上で、ＴＶ放送受信機能付き携帯電話装置３０は、無線公衆回線２０を介して、別の電話装置５０と接続可能になっているものとする。なお、この別の電話装置５０は、固定電話装置であっても、携帯電話装置であってもよく、また、図１では、放送局１０及び別の電話装置５０とも、説明簡便のためそれぞれ１局、１台しか図示していない。
【００３１】
次に、本実施の形態によるＴＶ放送受信機能付き携帯電話装置３０の構成について説明する。
図２は、本実施の形態によるＴＶ放送受信機能付き携帯電話装置の構成図である。
ＴＶ放送受信機能付き携帯電話装置３０は、ＴＶ放送受信部３１と、表示出力部３２と、表示部３３と、通信処理部３４と、音響入出力部３５と、スピーカ３６ａ及びマイク３６ｂと、操作部３７と、制御部３８と、メモリ３９ａと、バッテリレベル低下検出部３９ｂとを備えている。
【００３２】
ＴＶ放送受信部３１は、操作部３７のＴＶ放送受信操作に基づき、アンテナ３１ａを介して放送局１０から送信されるＴＶ放送波を受信し、選局したＴＶチャンネルのＴＶ放送波を復調／復号して、映像データ及び音声データを表示出力部３２及び音響入出力部３５に出力する。このとき、選局したＴＶチャンネルのチャンネルデータや受信番組データは、ＴＶ放送受信部３１に設けられた視聴データ記憶部３１ｂに随時記録される。
【００３３】
さらに、ＴＶ放送受信部３１には、選局したＴＶチャンネルのＴＶ放送波の受信劣化を検出する受信障害検出部３１ｃが設けられ、ＴＶ放送波の受信が所定レベルに対して悪化したときには、制御部３８に受信劣化を通知する。
【００３４】
ＴＶ放送受信部３１から出力される映像データ及び音声データは、表示出力部３２及び音響入出力部３５に入力される。そして、映像データはＬＣＤ（Liquid Crystal Display），ＥＬＤ（Electro Luminescence Display）等によって構成される表示部３３の画面上に表示され、音声データはスピーカ３６ａから音声出力される。
【００３５】
通信処理部３４は、無線公衆回線２０の基地局、及びこの無線公衆回線２０を介して接続可能なＴＶ番組録画サービスセンター４０や別の電話装置５０との間で、発信、着信、通話等の通信処理を行う。
【００３６】
通信処理部３４は、電話通話時には、アンテナ３４ａを介して受信した受信信号を復調／復号して音声信号を再生し、音響入出力部３５を介してスピーカ３６ａから音声出力する一方、マイク３６ｂから音響入出力部３５を介して入力される音声入力を符号化／変調して送信信号を生成し、アンテナ３４ａから無線送信する。
【００３７】
通信処理部３４は、データ通信時には、アンテナ３４ａを介して受信した受信信号を復調／復号し、テキストデータ，マルチメディアデータ等によって構成される受信データを再生して、これをメモリ３９ａに一旦格納するとともに、必要に応じて、このメモリ３９ａに格納されている受信データを、表示出力部３２を介して表示部３３に表示し、また音響入出力部３５を介してスピーカ３６ａから音声出力する。その一方で、通信処理部３４は、制御部３８によって生成された送信データを符号化／変調して送信信号を生成し、アンテナ３４ａから無線送信する。
【００３８】
操作部３７は、テンキー等の各種操作キーを備え、発信操作、着信操作、テレビ視聴操作に加え、ＴＶ番組録画サービスセンター４０に対するＴＶ番組録画依頼や、この録画依頼に基づき録画されたＴＶ番組の配信依頼の操作等を行う。
【００３９】
制御部３８は、操作部３７の操作等に基づいて、ＴＶ放送受信機能付き携帯電話装置３０の上述した各部の作動を制御する。
また、制御部３８には、ＴＶ放送受信機能付き携帯電話装置３０の各部を駆動させるために設けられた図示せぬバッテリの出力レベルの低下を検出するバッテリレベル低下検出部３９ｂが付設されている。バッテリレベル低下検出部３９ｂは、バッテリの出力レベルが表示部３３におけるＴＶ番組の映像表示に支障をきたすレベル、及び通信処理部３４におけるデータ通信に支障をきたすレベルに低下したのを検出して、制御部３８に通知する。なお、表示部３３におけるＴＶ番組の映像表示に支障をきたすレベルは、通信処理部３４によるデータ通信が可能なレベル範囲内で予め設定されている。
【００４０】
次に、本実施の形態によるＴＶ番組録画サービスセンター４０の構成について説明する。
図３は、本実施の形態のＴＶ番組録画サービスシステム１に適用されるＴＶ番組録画サービスセンターの構成図である。
【００４１】
ＴＶ番組録画サービスセンター４０は、ＴＶ放送受信／録画装置４１と、放送データ格納装置４２と、録画管理装置４３と、配信管理装置４４とを備えて構成されている。
ＴＶ放送受信／録画装置４１は、アンテナ４１ａを介して各放送局１０から送信されるＴＶ放送波を受信し、各放送局（各ＴＶチャンネル）１０のＴＶ放送波を復調／復号して、各放送局１０のＴＶ番組の映像データ及び音声データを、その受信チャンネルデータ及び受信番組データに対応付けて、放送データ格納装置４２に格納する。
【００４２】
放送データ格納装置４２は、ＴＶ放送受信／録画装置４１によって受信及び録画されたＴＶ番組の映像データ及び音声データを、録画管理装置４３及び配信管理装置４４によって受け付けされた録画依頼及び配信依頼に基づいて保存管理する。
【００４３】
なお、本実施の形態では、ＴＶ放送受信／録画装置４１は、当該ＴＶ番組録画サービスセンター４０が設けられている地域で放送されている全ＴＶ放送のＴＶ番組を受信／録画する構成になっている。これにより、放送データ格納部４２には、一旦、当該ＴＶ番組録画サービスセンター４０が設けられている地域の全ＴＶ放送のＴＶ番組について、その映像データ及び音声データが保存されることになる。そして、このデータ格納部４２に一旦保存された全ＴＶ放送のＴＶ番組の映像データ及び音声データは、録画管理装置４３が受け付けた録画依頼の状況及び配信管理装置４４が受け付けた配信依頼の状況に合わせて、ＴＶ番組毎にその映像データ及び音声データの抹消保存が行われる。
【００４４】
録画管理装置４３は、無線公衆回線２０を介して前述したＴＶ放送受信機能付き携帯電話装置３０とデータ通信可能に構成されている。録画管理装置４３は、ＴＶ放送受信機能付き携帯電話装置３０から送信されてくる録画依頼を受付処理し、その実行等を管理制御する。
【００４５】
配信管理装置４４は、無線公衆回線２０を介して前述したＴＶ放送受信機能付き携帯電話装置３０とデータ通信可能に構成されている。さらに、本実施の形態の場合は、配信管理装置４４は、この無線公衆回線２０とは別の通信回線（例えば、インターネット等）６０を介して、図１にも示したように、例えばユーザのホームサーバー７０等ともデータ通信可能に構成されている。
【００４６】
配信装置管理４４は、受け付けた配信依頼に基づき、対応する録画依頼のＴＶ番組の映像データ及び音声データを含む配信データを、録画依頼及び配信依頼中で指示された所望のファイル形式、又は録画依頼及び配信依頼中に所望のファイル形式が指定されていない場合は所定のファイル形式で生成し、この生成した配信データをユーザによって予め指定された配信先に送信する。
【００４７】
次に、上述のように構成された本実施の形態のＴＶ番組録画サービスシステムの作用について説明する。
ＴＶ放送受信機能付き携帯電話装置３０でＴＶ番組を視聴する場合、ユーザは、操作部３７に設けられたＴＶ視聴キーを操作してＴＶ放送受信機能付き携帯電話装置３０の制御部３８にＴＶ視聴モードを設定し、操作部３７に設けられたテンキー等によってＴＶチャンネルの選局操作を行う。そして、ユーザは、所望のＴＶ番組をＴＶ放送受信部３１によって受信し、表示部３３及びスピーカ３６ａから視聴する。
また、ＴＶ番組の視聴を中止する場合は、ＴＶ視聴キーを再度操作する等して制御部３８のＴＶ視聴モードを設定解除する。
【００４８】
次に、上述したようなテレビ視聴を行っておらず、制御部３８にＴＶ視聴モードが設定されていない状態で、別の電話装置５０からかかってきた電話の着信に応対する場合の、ＴＶ放送受信機能付き携帯電話装置３０の作動について説明する。
この場合、無線公衆回線２０の基地局からは、ＴＶ放送受信機能付き携帯電話装置３０に対する呼信号が送信される。
【００４９】
ＴＶ放送受信機能付き携帯電話装置３０は、通信処理部３４がアンテナ３４ａを介して別の電話装置５０からの着呼（着信）を検出すると、スピーカ３６ａから呼出音を発生させる等して、ユーザに対して着呼報知（着信報知）を行う。
ユーザは、この着呼報知により、かかってきた電話の着信に応対するため、操作部３７に設けられた通話キー（オフフックキー）を操作する。
【００５０】
ＴＶ放送受信機能付き携帯電話装置３０の制御部３８は、この通話キー（オフフックキー）の操作に基づき、通信処理部３４を作動制御して、呼応答信号を無線公衆回線２０の基地局に送信し、この呼応答信号を受信した基地局は別の電話装置５０とＴＶ放送受信機能付き携帯電話装置３０との間の回線接続をはかる。これにより、両者による通話が可能になる。
【００５１】
これに対し、上述したようなテレビ視聴を行っており、制御部３８にＴＶ視聴モードが設定されている状態で、別の電話装置５０から電話がかかってきた場合のユーザの応対について、図４に基づき説明する。
図４は、ＴＶ番組視聴中の電話着信時におけるＴＶ放送受信機能付き携帯電話装置が行う通話開始までの処理を示したフローチャートである。
ＴＶ放送受信機能付き携帯電話装置３０は、ＴＶ視聴モードが制御部３８に設定され、ユーザによるテレビ視聴中状態になっている（ステップＳ０１）。
【００５２】
この状態において、無線公衆回線２０の基地局から、別の電話装置５０によるＴＶ放送受信機能付き携帯電話装置３０に対する呼信号が送信されると、ＴＶ放送受信機能付き携帯電話装置３０は、通信処理部３４がアンテナ３４ａを介してこの呼信号を受信して着呼を検出する（ステップＳ０２）。そして、通信処理部３４は、スピーカ３６ａからのＴＶ番組の音声とともに呼出音を発生させる、ＴＶ番組映像が表示されている表示部３３に着呼を知らせるメッセージを表示する等して、ユーザに対して着呼（着信）を報知する（ステップＳ０３）。
【００５３】
ここで、ユーザは、現在視聴しているＴＶ番組の視聴を一時中断して、かかってきた電話の通話応対を行う場合は、通話キー（オフフックキー）を操作する。
ＴＶ放送受信機能付き携帯電話装置３０は、制御部３８がこの通話キーの操作（すなわち、通話開始操作）を検出すると（ステップＳ０４）、ＴＶ視聴モードが設定されていることにより、ＴＶ放送受信部３１に対し、スピーカ３６ａからの番組音声の出力を停止させ、また、必要な場合は表示部３３によるＴＶ番組映像の表示も停止させて、ＴＶ番組の視聴を一時中断させる（ステップＳ０５）。なお、本実施の形態のＴＶ放送受信機能付き携帯電話装置３０では、この場合は、制御部３８のＴＶ視聴モードの設定解除は行われず、その設定によるＴＶ視聴機能のみが停止されるものとする。
【００５４】
その上で、制御部３８は、通信処理部３４を作動制御して、着呼応答信号を無線公衆回線２０の基地局に送信し（ステップＳ０６）、この着呼応答信号を受信した基地局が電話をかけた別の電話装置５０とＴＶ放送受信機能付き携帯電話装置３０との間の回線接続をはかることにより、両者による通話が可能になる（ステップＳ０７）。
【００５５】
その後、通話が終了し、ユーザが操作部３７に設けられた終了キー（オンフックキー）を操作した場合、制御部３８は、通信処理部３４を作動制御して、回線切断信号を無線公衆回線２０の基地局に対して出力し、別の電話装置５０との間の回線接続の切断をはかる。
【００５６】
本実施の形態のＴＶ放送受信機能付き携帯電話装置３０の場合は、ユーザが終了キーを操作して回線が切断された後は、制御部３８は、ＴＶ視聴モードが引続き設定されたままの状態になっているので、ＴＶ放送受信部３１に対し一時中断したＴＶ番組の視聴を再開させ、番組映像を表示部３３に表示させるとともに番組音声をスピーカ３６ａから出力させる。
したがって、通話が終了した時点から、ユーザは、ＴＶ放送受信機能付き携帯電話装置３０によるＴＶ放送の視聴を、自動的に再開できる。
【００５７】
これに対して、現在視聴しているＴＶ番組について、これからの通話によって視聴が中断されるＴＶ番組部分の視聴を行いたい場合には、ユーザは操作部３７に設けられた通話キーとは別の録画依頼キーを操作する。
【００５８】
ＴＶ放送受信機能付き携帯電話装置３０は、その制御部３８がユーザによるこの録画依頼キーの操作（録画依頼操作）を検出すると（ステップＳ０８）、スピーカ３６ａからの番組音声の出力を停止させ、また、表示部３３によるＴＶ番組映像の表示も停止させて、ＴＶ番組の視聴を一時中断させる（ステップＳ０９）。なお、本実施の形態のＴＶ放送受信機能付き携帯電話装置３０では、この場合も、制御部３８のＴＶ視聴モードの設定解除は行われず、その設定によるＴＶ視聴機能のみが停止されるものとする。
【００５９】
その上で、制御部３８は、通信処理部３４を作動制御して、着呼応答信号を無線公衆回線２０の基地局に送信し、この着呼応答信号を受信した基地局が別の電話装置５０との間の回線接続をはかることにより、まず両者間の回線接続が行われるようにする（ステップＳ１０）。
【００６０】
そして、制御部３８は、このステップＳ１０による着呼応答信号の基地局への送信に引続き、通信処理部３４を作動制御して、フッキング信号（回線保留信号）を無線公衆回線２０の基地局に送信する。
このフッキング信号を受信した無線公衆回線２０の基地局では、先に回線接続されたＴＶ放送受信機能付き携帯電話装置３０と別の電話装置５０との回線接続状態を接続保留状態にする（ステップＳ１１）。
【００６１】
これにより、ＴＶ放送受信機能付き携帯電話装置３０と無線公衆回線２０の基地局との間の回線は空き状態になり、別の電話装置５０に対しては、無線公衆回線２０の基地局によって保留音が報知され、当該別の電話装置５０と無線公衆回線２０の基地局との間の回線接続は遮断されない構成になっている。
【００６２】
この状態で、制御部３８は、通信処理部３４を作動制御して、予め電話番号が設定され保存されているＴＶ番組録画サービスセンター４０の録画管理装置４３に対する発呼（発信）を、無線公衆回線２０の基地局に送信する（ステップＳ１２）。
【００６３】
無線公衆回線２０の基地局（交換局）では、３者間通話を行うべく、別の電話装置５０に対しては保留音を報知したままの状態で、今度はＴＶ放送受信機能付き携帯電話装置３０をＴＶ番組録画サービスセンター４０に対して回線接続をはかる。
【００６４】
これにより、ＴＶ番組録画サービスセンター４０は、その録画管理装置４３がこのＴＶ放送受信機能付き携帯電話装置３０の発呼信号に基づく着呼に自動応答して、着呼応答信号を基地局（交換局）に対し送信する。
【００６５】
基地局（交換局）は、このＴＶ番組録画サービスセンター４０からの着呼応答信号に基づき、ＴＶ放送受信機能付き携帯電話装置３０とＴＶ番組録画サービスセンター４０との間を回線接続して両者間で通話可能（データ通信可能）な状態にするとともに、この着呼応答信号をＴＶ放送受信機能付き携帯電話装置３０に送信する。
【００６６】
ＴＶ放送受信機能付き携帯電話装置３０は、この着呼応答信号の受信を検出すると（ステップＳ１３）、その制御部３８が、別の電話装置５０からの着呼があった際にＴＶ放送受信装置４１で視聴中であったＴＶ番組の受信チャンネルデータや受信番組データ、別の電話装置５０からの着呼時刻（すなわち、視聴中断開始時刻に対応）、ＴＶ放送受信機能付き携帯電話装置３０が無線接続されている基地局から判明する所在データを含んで構成される録画依頼を送信する（ステップＳ１４）。これにより、このＴＶ放送受信機能付き携帯電話装置３０からの録画依頼は、回線接続されているＴＶ番組録画サービスセンター４０に送信されることになる。なお、この録画依頼には、必要に応じて、ＴＶ放送受信機能付き携帯電話装置３０自身の電子メールアドレス、予め操作部３７により設定したＴＶ番組録画サービスセンター４０からの録画番組の転送先としての録画番組再生装置（例えば、前述のホームサーバー７０等）のアドレス、配信される録画番組の所望ファイル形式、等のデータも含んで構成される。
【００６７】
そして、ＴＶ番組録画サービスセンター４０は、その録画管理装置４３が、この録画依頼を受信して後述する依頼受付処理を行った後、受付識別データを含む依頼受付完了通知を、回線接続されたＴＶ放送受信機能付き携帯電話装置３０に送信する。
【００６８】
ＴＶ放送受信機能付き携帯電話装置３０は、この依頼受付完了通知の受信を検出すると（ステップＳ１５）、制御部３８は、受付識別データを記憶し、新たに録画依頼済モードを設定する。そして、制御部３８は、通信処理部３４を作動制御して、フッキング信号（回線保留信号）を無線公衆回線２０の基地局に対して送信し、無線公衆回線２０の基地局側（交換局側）で、ステップＳ１１によって接続保留状態になっている別の電話装置５０との回線接続を復旧させ、両者間を通話可能な状態にする（ステップＳ１６）。
【００６９】
これにより、ＴＶ放送受信機能付き携帯電話装置３０を中心として、ＴＶ放送受信機能付き携帯電話装置３０、別の電話装置５０、及びＴＶ番組録画サービスセンター４０は、無線公衆回線２０の基地局（交換局）で、３者間通話が可能な状態に設定される。
【００７０】
ところが、本実施の形態のＴＶ番組録画サービスシステム１では、ＴＶ番組録画サービスセンター４０の録画管理装置４３が、ステップＳ１５において記載した依頼受付完了通知の送信後、例えばＴＶ放送受信機能付き携帯電話装置３０によるステップＳ１６で説明したフッキング信号の送信を適宜待って、３者間通話状態を設定した無線公衆回線２０の基地局に対し、自動的に通話終了（オンフック）し、ＴＶ放送受信機能付き携帯電話装置３０及び別の電話装置５０との回線接続を自ら遮断する構成になっている。
【００７１】
この結果、ステップＳ１５に示したＴＶ放送受信機能付き携帯電話装置３０の通信処理部３４によるＴＶ番組録画サービスセンター４０からの依頼受付完了通知の受信後は、上述した３者間通話は実質的に行われることなく、ＴＶ放送受信機能付き携帯電話装置３０と別の電話装置５０との回線接続状態のみが残り、両者間の通話だけが実際に開始されることになる（ステップＳ１７）。
【００７２】
その後、通話が終了し、ユーザが操作部３７に設けられた終了キー（オンフックキー）を操作した場合、制御部３８は、通信処理部３４を作動制御して、回線切断信号を無線公衆回線２０の基地局に対して出力し、別の電話装置５０との間の回線接続の切断をはかる。
【００７３】
そして、例えば、前述した録画依頼において転送先としての録画番組再生装置が指定されていない場合には、制御部３８は、この別の電話装置５０との間の回線接続の切断を行った後に、ＴＶ視聴モードの設定が設定され、さらに録画依頼済モードも設定されていることに基づき、通信処理部３４を作動制御して、今度は予め電話番号が設定され保存されているＴＶ番組録画サービスセンター４０の配信管理装置４４に対する発呼信号を、無線公衆回線２０の基地局に自動送信する。
【００７４】
その後、ＴＶ放送受信機能付き携帯電話装置３０では、ＴＶ番組録画サービスセンター４０の配信管理装置４４から送信される着呼応答信号を、通信処理部３４が受信する。この着呼応答信号を受信すると、制御部３８は、先の依頼受付完了通知に含まれていた受付識別データ、配信先の変更の有無及び変更後の配信先データ、データの配信形式の特別指定（例えば、ストリーミング形式ではなくファイル形式）を含む配信依頼を生成し、通信処理部３４を作動制御して、この配信依頼を送信する。
【００７５】
ＴＶ番組録画サービスセンター４０では、この配信依頼を配信管理装置４４が受信すると、配信管理装置４４はこの配信依頼の受付識別データに対応する録画依頼内容を録画管理装置４３に照会する。そして、配信管理装置４４は、録画管理装置４３からの照会結果を参照して、放送データ格納装置４２の格納データをもとに、先のステップＳ１４，Ｓ１５の処理によって録画依頼／受付されたＴＶ番組の映像データ及び音声データからなる中断ＴＶ番組配信データを生成する。
【００７６】
なお、この場合、未だ視聴中断された番組の放送が完了していない場合であっても、配信管理装置４４は、録画が終了している部分についての中断ＴＶ番組配信データを生成する。そして、配信管理装置４４は、番組の放送の進行に伴い、作成済の中断ＴＶ番組配信データを随時更新していく。
【００７７】
そして、配信管理装置４４は、この生成した中断ＴＶ番組配信データを、配信先の変更がない場合は、無線公衆回線２０を介し、指定されたデータの配信形式であるストリーミング形式で、ＴＶ放送受信機能付き携帯電話装置３０に送信する。
【００７８】
ＴＶ放送受信機能付き携帯電話装置３０では、通信処理部３４がこのストリーミング形式でＴＶ番組録画サービスセンター４０の配信管理装置４４から配信されてくる中断ＴＶ番組配信データをメモリ３９ａに格納するとともに、このメモリ３９ａに格納されている中断ＴＶ番組配信データに基づき、その映像を表示出力部３２を介して表示部３３に表示させ、かつその音声を音響入出力部３５を介してスピーカ３６ａから出力させる。
【００７９】
以上により、ユーザは、ＴＶ番組の視聴中に別の電話装置５０からの着信があった場合でも、操作部３７に設けられた録画依頼キーを操作して別の電話装置５０との通話を開始すれば、その通話終了後に自動的に、この別の電話装置５０との通話によって視聴が中断されたＴＶ番組を、着信があった部分から引き続いて視聴することができる。
【００８０】
また、配信管理装置４４は、前述した生成した録画依頼や、視聴中断したＴＶ番組配信データの配信依頼において、依頼の中に、配信先の変更があった場合、データの配信形式の特別指定があった場合は、その変更内容に従って配信する。
【００８１】
例えば、ユーザによって、配信先がＴＶ放送受信機能付き携帯電話装置３０に代えて、無線公衆回線２０とは別の通信回線（例えば、インターネット）６０を介して接続可能な、例えばユーザのホームサーバー７０のアドレスが指定され、データの配信形式としてファイル形式が特別に指定されている場合は、配信管理装置４４は、録画依頼のあったＴＶ番組の録画完了を待って中断ＴＶ番組配信データを作成し、インターネット６０を介してホームサーバー７０にファイル形式の中断ＴＶ番組配信データを配信する一方、ＴＶ放送受信機能付き携帯電話装置３０に対しては、その配信依頼の受付又は実行の完了通知が無線公衆回線２０を介して、別途送信される。この場合、配信依頼の受付又は実行の完了通知は、メール等のデータ通信によって、録画依頼を行ったＴＶ受信機能付き携帯電話装置３０に通知する構成としてもよい。
【００８２】
これにより、ＴＶ放送受信機能付き携帯電話装置３０では、配信依頼の受付又は実行の完了が、その表示部３３における文字、アイコン或いは画面の色による明示的な表示、スピーカ３６ａからの音声、図示せぬＬＥＤの発光、バイブレータの振動等によって報知され、ユーザは、配信先のホームサーバー７０から離れた場所にいても感知することができる。
【００８３】
なお、この場合、配信先（転送先）としての録画番組再生装置や、当該録画番組再生装置に配信される録画番組の所望ファイル形式の指定は、録画依頼時や配信依頼時に操作部３７から直接入力するのではなく、例えばメモリ３９ａに予め登録しておくこともできる。
【００８４】
例えば、配信先として複数の録画番組再生装置のアドレス、及びこの録画番組再生装置機器毎に対応した録画番組のファイル形式の一覧を、予めメモリ３９ａに登録しておいて、操作部３７によってこの一覧から１台の録画番組再生装置を指定することによって、そのアドレス及びファイル形式を設定することができる。
【００８５】
そして、その設定も、録画依頼の際や、配信依頼の際にその都度行うのではなく、予め必要なときに一旦設定しておけば、録画依頼や配信依頼の送信の際、予め設定されている配信先としての録画番組再生装置のアドレスやファイル形式がデータとして含まれた依頼が生成され、この依頼がＴＶ番組録画サービスセンター４０に送信される構成であってもよい。
【００８６】
さらにまた、配信先としての録画番組再生装置のアドレスやファイル形式は、予め必要なときに一旦設定しておけば、ＴＶ放送受信機能付き携帯電話装置３０からＴＶ番組録画サービスセンター４０へ送信され、ＴＶ番組録画サービスセンター４０で登録される構成であってもよい。この場合、ＴＶ番組録画サービスセンター４０では、ＴＶ放送受信機能付き携帯電話装置３０毎に対応させて、転送先のアドレスやファイル形式の一覧を、例えば配信管理装置４４内に設けられたメモリに登録しておく構成になっている。したがって、ＴＶ放送受信機能付き携帯電話装置３０では、配信先としての録画番組再生装置のアドレスやファイル形式は、予め必要なときに一旦設定しておけば、録画依頼や配信依頼の送信の都度、これらを設定する必要もない。ＴＶ番組録画サービスセンター４０では、録画依頼や配信依頼を受付処理する毎、これら依頼の中に配信先としての録画番組再生装置のアドレスやファイル形式がデータとして含まれていなくとも、配信管理装置４４内に設けられたメモリに登録された一覧から、配信先としての録画番組再生装置のアドレスやファイル形式を自動的に取得することができる。
【００８７】
次に、ユーザがＴＶ放送受信機能付き携帯電話装置３０によってＴＶ番組の視聴中、ＴＶ放送波の受信が所定レベルに対して悪化した場合、又はバッテリの出力レベルが表示部３３におけるＴＶ番組の映像表示に支障をきたすレベルに低下した場合について説明する。
【００８８】
これらの場合、ＴＶ放送受信機能付き携帯電話装置３０は、受信障害検出部３１ｃ、バッテリレベル低下検出部３９ｂからの検出通知により、制御部３８は受信障害状態、バッテリ低下状態を状態確認することができる。
【００８９】
本実施の形態の場合では、ＴＶ放送受信機能付き携帯電話装置３０は、制御部３８が、ＴＶ視聴モードに設定されている状態で、受信障害状態、バッテリ低下状態を状態確認すると、制御部３８は、通信処理部３４を作動制御して、表示部３３にこれら状態の警告を表示させた上で、前述した図４のステップＳ１２〜Ｓ１５示した処理を、操作部３７に設けられた録画依頼キーの操作によらずに自動的に行う。
【００９０】
また、ＴＶ放送受信機能付き携帯電話装置３０は、通信処理部３４に図示省略したＧＰＳ手段装置を持つ構成で、位置移動により、現在、ＴＶ放送受信部３１により視聴している番組が視聴できない場所に移動しつつあると制御部３８が判断した場合、ＧＰＳ手段装置からの取得した位置情報データを制御部３８が処理し、今後受信が不可能になると判断、受信障害状態とみなし、前述の図４のステップＳ１２〜Ｓ１５示した一連の番組予約録画動作を行う。
【００９１】
これにより、ＴＶ番組の視聴中、ＴＶ放送波の受信が悪化したときや、バッテリの出力レベルが低下したときにも、ＴＶ番組録画サービスセンター４０に容易に録画依頼をすることができる。
【００９２】
次に、このＴＶ受信機能付き携帯電話装置３０のバッテリレベルとＴＶ番組録画センター４０への録画依頼との関係について、より詳細に説明する。
本実施の形態のＴＶ受信機能付き携帯電話装置３０では、ＴＶ放送受信部３１を始めとするテレビ受信機部を動作させるための電源は、図示省略したＴＶ放送受信部専用バッテリから供給し、通話及びデータ通信に利用される通信処理部３４を始めとする携帯電話部を動作させるための電源は、図示省略した通信処理部専用バッテリから供給する構成になっている。
【００９３】
本実施の形態のＴＶ受信機能付き携帯電話装置３０では、ＴＶ放送受信部３１を始めとするテレビ受信機部と通信処理部３４を始めとする携帯電話部とを独立した別々のバッテリで駆動することにより、テレビ視聴によりＴＶ受信機能付き携帯電話装置３０の全電源を使い果たし、通話や通信ができなくなることを防止できる構成になっている。
【００９４】
また、本実施の形態のＴＶ受信機能付き携帯電話装置３０では、それぞれ独立させたバッテリの容量を、通信側で使用する通信処理部用バッテリとテレビ側で使用するＴＶ放送受信部用バッテリとを異なる容量のものを用い、テレビ側のＴＶ放送受信部用バッテリの容量を通信処理部用バッテリよりも大きくしてバッテリ全体を構成することも可能である。
【００９５】
さらに、テレビ側のＴＶ放送受信部用バッテリは、テレビ及び通話や通信の両方で使用できる構成にすることも可能である。しかし、この場合も、通信処理部用バッテリは、通信専用のバッテリとして、テレビ側では使用できない構成になっている。
【００９６】
上述したように、本実施の形態のＴＶ受信機能付き携帯電話装置３０では、通信専用の通信処理部用バッテリを別に用意することで、テレビ視聴によりＴＶ受信機能付き携帯電話装置３０の全電源を使い果たし、通話や通信ができなくなることを防止できる構成になっている。そして、テレビ視聴中に、テレビ側のＴＶ放送受信部用バッテリの容量がなくなり、テレビが視聴できなくなりそうな時でも、テレビ視聴によっては通信専用の通信処理部用バッテリは電力消費されないから、通信処理部３４を用い、ＴＶ番組録画サービスセンター４０に現在視聴中のＴＶ番組の録画依頼を送信することができる。また、携帯電話の頻繁な使用で通信処理部用バッテリの電力が低下してしまった場合でも、テレビ側のＴＶ放送受信部用バッテリは、携帯電話側でも使用できる構成となっているため、ＴＶ放送受信部用バッテリを通信処理部用バッテリの予備バッテリとして機能させることができ、大変使い勝手がよい。
【００９７】
次に、本実施の形態のＴＶ受信機能付き携帯電話装置３０において、ＴＶ受信機能付き携帯電話装置における、ＴＶ放送受信部用バッテリと通信処理部用バッテリとを１つのバッテリによって共用化した場合の変形例について説明する。
【００９８】
図５は、ＴＶ受信機能付き携帯電話装置において、ＴＶ放送受信部用バッテリと通信処理部用バッテリとを１つのバッテリによって共用化した場合の変形例の説明図である。
図５（ａ）は、ＴＶ放送受信部用バッテリと通信処理部用バッテリとを１つのバッテリによって共用化したＴＶ受信機能付き携帯電話装置における、電源供給系統の構成図である。
図５（ｂ）は、共用化したバッテリの電圧変化状態とＴＶ受信機能付き携帯電話装置各部への電圧供給状態との関係の説明図である。
【００９９】
本例では、ＴＶ放送受信部用バッテリと通信処理部用バッテリとを１つのバッテリによって共用化して使用した場合で、テレビが利用可能な最低電圧の閾値と通信が利用可能な最低電圧の閾値とが、それぞれ別々に設定されている場合が示されている。
【０１００】
図５（ａ）において、８０は共用化されたバッテリで、バッテリ８０は、第１のスイッチング回路９１（以下、ＳＷ１回路９１と略称する）を介してＴＶ放送受信部３１を始めとするテレビ受信機部３１０に接続され、第２のスイッチング回路９２（以下、ＳＷ２回路９２と略称する）を介して通信処理部３４を始めとする携帯電話部３４０に接続され、各部３１０，３４０に駆動用の電源を供給する構成する構成になっている。
【０１０１】
そして、ＳＷ１回路９１及びＳＷ２回路９２は、制御部３８から供給される制御信号に基づいて、バッテリ８０とテレビ受信機部３１０との間及びバッテリ８０と携帯電話部３４０との間を、接続又は遮断できる構成になっている。
【０１０２】
また、バッテリ８０は、バッテリレベル低下検出部３９ｂにも接続されている。本例では、バッテリレベル低下検出部３９ｂには、テレビ受信機部３１０の利用可能な最低電圧ＶTV、テレビ受信機部３１０の利用が可能な最低電圧ＶTVよりも所定電圧値だけ高い電圧値で、テレビ受信機部３１０のその後の利用で最低電圧ＶTVになる直前の電圧ＶTVLimit、通話又はデータ通信を行うために携帯電話部３４０の利用可能な最低電圧ＶTELが、予め検出対象の閾値として設定されている。
【０１０３】
そして、これら閾値電圧ＶTVLimit、ＶTV、ＶTEL相互の大きさ関係は、
ＶTVLimit＞ＶTV＞ＶTEL 
となっている。
【０１０４】
バッテリレベル低下検出部３９ｂは、バッテリ８０の電圧がこれら閾値電圧ＶTVLimit、ＶTV、ＶTELに低下したのをそれぞれ検出して、検出信号を制御部３８に出力する構成になっている。
【０１０５】
制御部３８は、バッテリレベル低下検出部３９ｂからの検出信号に基づき検出したバッテリ８０の電圧が、閾値電圧ＶTV以上の場合は、ＳＷ１回路９１及びＳＷ２回路９２をともにＯＮ状態（接続状態）にして、ＴＶ受信機部３１０及び携帯電話部３４０にバッテリ８０から電源を供給する構成になっている。これにより、ＴＶ受信機能付き携帯電話装置３０は、ＴＶ放送の視聴は可能であり、通話又はデータ通信も可能な状態になる。
【０１０６】
また、制御部３８は、バッテリレベル低下検出部３９ｂからの検出信号に基づき検出したバッテリ８０の電圧が、閾値電圧ＶTV以上であるもの、閾値電圧ＶTVLimitより低い場合は、ＴＶ放送の視聴中であれば、携帯電話部３４０を構成する通信処理部３４に現在視聴中のＴＶ番組について録画依頼の送信を実行させる。
【０１０７】
また、制御部３８は、バッテリレベル低下検出部３９ｂからの検出信号に基づき検出したバッテリ８０の電圧が、閾値電圧ＶTVよりも低下したものの、閾値電圧ＶTEL以上である場合は、ＳＷ１回路９１をＯＦＦ状態（遮断状態）にし、ＳＷ２回路９２をＯＮ状態にすることにより、ＴＶ受信機部３１０へのバッテリ８０からの電源供給だけを停止させる構成になっている。これにより、ＴＶ受信機能付き携帯電話装置３０は、ＴＶ放送の視聴は禁止されて不可となり、通話又はデータ通信のみが可能な状態になる。
【０１０８】
さらに、制御部３８は、バッテリレベル低下検出部３９ｂからの検出信号に基づき検出したバッテリ８０の電圧が、閾値電圧ＶTELよりも低下している場合は、ＳＷ１回路９１及びＳＷ２回路９２をともにＯＦＦ状態（接続状態）にして、さらに携帯電話部３４０へのバッテリ８０からの電源供給も停止させる構成になっている。これにより、ＴＶ受信機能付き携帯電話装置３０は、ＴＶ放送の視聴だけではなく、通話及びデータ通信も禁止されて不可となり、ＴＶ受信機能付き携帯電話装置３０は、バッテリ８０からの電源供給によって、制御部３８及びメモリ３９ａといった制御系のみが動作可能な状態になっている。
【０１０９】
図５（ｂ）において、領域１は、ＴＶ放送の視聴と通話及びデータ通信との双方が自由に利用できるバッテリ８０の電圧領域を示す。また、領域２は、ＴＶ放送の視聴と通話及びデータ通信との双方が自由に利用できるバッテリ８０の電圧領域ではあるが、ＴＶ放送の視聴を続けてしばらく行うと、ＴＶ放送の視聴が利用できなくなる状態になるので、通信処理部３４によりＴＶ番組録画サービスセンター４０に録画依頼を送信させるバッテリ８０の電圧領域を示す。また、領域２は、通話及びデータ通信のみが利用可能なバッテリ８０の電圧領域を示し、領域４は、ＴＶ放送の視聴も、通話及びデータ通信も行えないバッテリ８０の電圧領域であり、制御系のみが動作可能な領域である。
【０１１０】
これにより、本例のＴＶ受信機能付き携帯電話装置３０では、ＴＶ放送受信部用バッテリと通信処理部用バッテリとを１つのバッテリによって共用化した構成であっても、テレビ受信機部３１０側で、バッテリ８０の電力を全て使い切ってしまい、通話やデータ通信が行えなくなるのを防止できる。また、ＴＶ放送の視聴中にＴＶ受信機部３１０側へのバッテリ８０からの電力供給が遮断されて、視聴中のＴＶ番組が途中で視聴できなくなってしまったり、ＴＶ番組録画サービスセンター４０には録画依頼を送信することは可能なものの、既に電圧低下によってＴＶ放送の視聴することができなくなってしまい、録画スタートとのタイムラグが発生し、視聴できない部分が生じてしまったりすることもない。
【０１１１】
本実施の形態によるＴＶ受信機能付き携帯電話装置３０、ＴＶ番組録画サービスセンター４０、及びＴＶ番組録画サービスシステム１は以上説明したとおりであるが、本発明のＴＶ受信機能付き携帯電話装置、ＴＶ番組録画サービスセンター、及びＴＶ番組録画サービスシステムは、上記実施の形態に限定されるものではない。
【０１１２】
例えば、ＴＶ受信機能付き携帯電話装置３０は、ＴＶ放送の視聴中に別の電話装置５０からの着呼があった場合、又は別の電話装置５０との通話中、視聴を予定しているＴＶ番組の視聴時刻になった場合、操作部３７に設けられた録画依頼キーの操作により、別の電話装置５０との回線接続の保留、ＴＶ番組録画サービスセンター４０に対する回線接続、録画依頼の送信、及びＴＶ番組録画サービスセンター４０の録画依頼の受付完了に基づく別の電話装置５０との回線接続の復帰を行う構成にしたが、操作部３７のキー操作はこれに限ることない。例えば、操作部３７に設けられた依頼キーの操作により、別の電話装置５０との回線接続の保留、ＴＶ番組録画サービスセンター４０に対する回線接続、録画依頼の送信を行い、ＴＶ番組録画サービスセンター４０の録画依頼の受付完了を確認した後、復帰キーの操作により、別の電話装置５０との回線接続の復帰を行う構成にしてもよい。
【０１１３】
また、ＴＶ受信機能付き携帯電話装置３０は、録画依頼を行った場合、録画依頼を行う原因となった別の電話装置５０との通話終了により、自動的に中断ＴＶ番組配信データの配信依頼をＴＶ番組録画サービスセンター４０に送信する構成としたが、操作部３７に配信依頼キーを設け、ユーザによる配信依頼キーの操作により、ＴＶ番組録画サービスセンター４０に中断ＴＶ番組配信データの配信依頼を送信する構成であってもよい。
【０１１４】
そして、この場合、ＴＶ番組録画サービスセンター４０の録画管理装置４３からは、録画依頼されたＴＶ番組の録画が終了したならば、その旨を例えばメール等のデータ通信によって、録画依頼を行ったＴＶ受信機能付き携帯電話装置３０に通知する構成としてもよい。そして、その通知を受けたＴＶ受信機能付き携帯電話装置３０では、表示部３３の画面に文字、アイコン或いは画面の色により明示的に表示するか、又はスピーカ３６ａからの音声、図示せぬＬＥＤの発光、バイブレータの振動等によりユーザに知らせる。
【０１１５】
これによれば、ユーザは任意の都合のよいときに、中断ＴＶ番組配信データの配信を受け、視聴することができる。
また、ＴＶ番組録画サービスセンターは、中央のＴＶ番組録画サービスセンターと各地域毎のＴＶ番組録画サービスセンターに分かれていてもよい。
【０１１６】
この場合、ＴＶ受信機能付き携帯電話装置３０は、中央のＴＶ番組録画サービスセンターによって集中的にＴＶ受信機能付き携帯電話装置３０からの録画依頼及び配信依頼を受付け、録画依頼に含まれる所在データに対応する地域のＴＶ番組録画サービスセンターによって配信する中断ＴＶ番組配信データを作成し、また配信することも可能である。
【０１１７】
よって、ユーザは、録画依頼を送信した地域と配信依頼を送信した地域とが異なり、同じチャンネルであっても番組が異なる場合でも、視聴中断したＴＶ番組の配信を的確に受けることができる。
【０１１８】
また、ＴＶ番組録画サービスセンターにおいて、視聴中断したＴＶ番組の配信をユーザに配信する際、配信管理装置は、配信する中断ＴＶ番組配信データの作成に当たって、ＴＶ番組とは別のＣＭ（コマーシャル）を追加して中断ＴＶ番組配信データを作成し、これを送信する構成としてもよい。
【図面の簡単な説明】
【０１１９】
【図１】本発明の一実施の形態によるＴＶ番組録画サービスシステムの構成図である。
【図２】本実施の形態によるＴＶ放送受信機能付き携帯電話装置の構成図である。
【図３】本実施の形態のＴＶ番組録画サービスシステム１に適用されるＴＶ番組録画サービスセンターの構成図である。
【図４】ＴＶ番組視聴中の電話着信時におけるＴＶ放送受信機能付き携帯電話装置が行う通話開始までの処理を示したフローチャートである。
【図５】ＴＶ受信機能付き携帯電話装置において、ＴＶ放送受信部用バッテリと通信処理部用バッテリとを１つのバッテリによって共用化した場合の変形例の説明図である。
【符号の説明】
【０１２０】
１  ＴＶ番組録画サービスシステム
１０  放送局
２０  無線公衆回線
３０  ＴＶ放送受信機能付き携帯電話装置
３１  ＴＶ放送受信部
３１ａ  アンテナ
３１ｂ  視聴データ記憶部
３２  表示出力部
３３  表示部
３４  通信処理部
３４ａ  アンテナ
３５  音響入出力部
３６ａ  スピーカ
３６ｂ  マイク
３７  操作部
３８  制御部
３９ａ  メモリ
３９ｂ  バッテリレベル低下検出部
４０  ＴＶ番組録画サービスセンター
４１  ＴＶ放送受信／録画装置
４２  放送データ格納装置
４３  録画管理装置
４４  配信管理装置
５０  別の電話装置
６０  別の通信回線
７０  ホームサーバー
８０  バッテリ
９１  第１のスイッチング回路（ＳＷ１回路）
９２  第２のスイッチング回路（ＳＷ２回路）
３１０  テレビ受信機部
３４０  携帯電話部
【図１】
2005057475.tif 000003
【図２】
2005057475.tif 000004
【図３】
2005057475.tif 000005
【図４】
2005057475.tif 000006
【図５】
2005057475.tif 000007